(57)【要約】【課題】グレーチングの盗難に対し、高い盗難防止効果を得られる盗難対策を、低コストで簡単に施すことができる側溝ユニットを提供する。【解決手段】側溝ユニット１は、グレーチング３０の下面側に盗難防止用金具４０を溶接固定し、そのグレーチングが、あらかじめ、コンクリート製側溝ブロック１０の長手方向一端側からの挿入操作によって、コンクリート製側溝ブロックの下広がりの斜面１７の直内側に盗難防止用金具の下広がりの斜片４２が対向して配置され、当該グレーチングの持ち上がり動作が規制された状態で、コンクリート製側溝ブロックの蓋掛けとなる段面１６に装着されている。側溝の施工時には、ユニット範囲内の現場作業（グレーチング及びその盗難防止金具の装着）を不要にする。側溝の施工後には、グレーチングをコンクリート製側溝ブロック（側溝本体）から外せなくする。【選択図】図１
2015017405.tif 000002
【特許請求の範囲】
【請求項１】
対向する２枚の側壁と、前記側壁の底辺相互を一体に連結する底壁と、前記側壁の上辺内側に蓋掛かりとなる段面とを備えた、断面Ｕ形をなすコンクリート製側溝ブロックであって、前記段面の下方の側壁の内面には下広がりの斜面が形成されているコンクリート製側溝ブロックと、
前記コンクリート製側溝ブロックの長手方向に間隔を設けて並設されるメインバーと、前記メインバーの上部において前記メインバーと直交して配置され、前記メインバーを連結するクロスバーと、前記メインバーの両端部をそれぞれ連結するエンドプレートとからなる金属製で格子状のグレーチング本体と、前記グレーチング本体の下面側両端部に配置され、上部の前記グレーチング本体の前記メインバーに溶接固定された金属製で角筒状の嵩上げ部材とを備え、前記コンクリート製側溝ブロックの前記段面に前記嵩上げ部材を介して装着され、前記グレーチング本体によって前記コンクリート製側溝ブロックの開口上面を覆うグレーチングと、
前記グレーチングの盗難防止用金具と、を有し、
前記盗難防止用金具は、平板状の金属片からなり、前記グレーチングの前記嵩上げ部材の直内側にそれぞれ配置され、上部の前記グレーチング本体の前記メインバーに溶接固定されており、前記嵩上げ部材の直内側を通過して下方に延びる垂直片と、前記垂直片の下端側に曲げ形成され、前記嵩上げ部材の下方において下方に向かって外側に傾斜する斜片とを備え、
前記グレーチングが、あらかじめ、前記コンクリート製側溝ブロックの長手方向一端側からの挿入操作によって、前記コンクリート製側溝ブロックの前記斜面の直内側に前記盗難防止用金具の前記斜片が対向して配置され、当該グレーチングの持ち上がり動作が規制された状態で、前記コンクリート製側溝ブロックの前記段面に装着されていることを特徴とする側溝ユニット。
【請求項２】
前記盗難防止用金具が、前記垂直片と前記斜片の２片からなり、前記垂直片の外面をその外側の前記嵩上げ部材に当接させた状態で、前記垂直片の上端部がその上部の前記グレーチング本体の前記メインバーに溶接固定され、かつ前記垂直片の外面が前記嵩上げ部材の下面に溶接固定されていることを特徴とする請求項１に記載の側溝ユニット。
【請求項３】
前記盗難防止用金具が、前記垂直片と前記斜片、さらには前記垂直片の上端側に曲げ形成され、内側に向かって水平に延びる水平片の３片からなり、前記垂直片の上面のみがその上部の前記グレーチング本体の前記メインバーに溶接固定されていることを特徴とする請求項１に記載の側溝ユニット。
【発明の詳細な説明】
【技術分野】
【０００１】
本発明は、側溝を造るときにグレーチング設置箇所に用い、グレーチングの盗難を防止するための側溝ユニットに関するものである。
【背景技術】
【０００２】
降雨又は降雪によって生じた路面水を排除するために道路の路肩などには側溝が設置される。
【０００３】
側溝は、既製のコンクリート製側溝ブロック、コンクリート製側溝蓋、金属製で格子状の側溝蓋であるグレーチングを現場へ運搬し、コンクリート製側溝ブロックをクレーンで並べ、ユニット間にモルタルを充填して造った側溝（側溝本体）に、コンクリート製側溝蓋やグレーチングを設置して完成する。
【０００４】
しかし、グレーチングには盗難の問題があることから、グレーチングを設置する場合、盗難対策が施される。
【０００５】
従来は、側溝にグレーチングをボルト固定する（例えば、特許文献１参照。）、或いは側溝とグレーチングを鎖で繋ぐ（例えば、特許文献２参照。）、といった盗難対策が施されていた。
【先行技術文献】
【特許文献】
【０００６】
【特許文献１】特開２０１２−２４６９８５号公報
【特許文献２】実用新案登録３１４２８０３号公報
【発明の概要】
【発明が解決しようとする課題】
【０００７】
グレーチングの盗難は、複数人で構成された窃盗団による転売目的の犯行が主流になっており、あらかじめ下見をして必要な工具類などを揃えてくる窃盗団に対し、ボルトや鎖などの盗難対策施では盗難防止効果を期待することができない。ボルトは専用レンチなどで外されて盗まれ、鎖は弛みがあることから、グレーチングを持ち上げてできた隙間からボルトクリッパーなどで切断されて盗まれる、というのが実情であった。
【０００８】
また、ボルトや鎖は、高価であり、コストが高くつくと共に、現場での取り付けに工数（手間と時間）が掛かる。
【０００９】
本発明は、このような実情に鑑みてなされたもので、グレーチングの盗難に対し、高い盗難防止効果を得られる盗難対策を、低コストで簡単に施すことができる側溝ユニットを提供することを目的としている。
【課題を解決するための手段】
【００１０】
前記課題を解決するため請求項１に係る発明の側溝ユニットは、対向する２枚の側壁と、前記側壁の底辺相互を一体に連結する底壁と、前記側壁の上辺内側に蓋掛かりとなる段面とを備えた、断面Ｕ形をなすコンクリート製側溝ブロックであって、前記段面の下方の側壁の内面には下広がりの斜面が形成されているコンクリート製側溝ブロックと、
前記コンクリート製側溝ブロックの長手方向に間隔を設けて並設されるメインバーと、前記メインバーの上部において前記メインバーと直交して配置され、前記メインバーを連結するクロスバーと、前記メインバーの両端部をそれぞれ連結するエンドプレートとからなる金属製で格子状のグレーチング本体と、前記グレーチング本体の下面側両端部に配置され、上部の前記グレーチング本体の前記メインバーに溶接固定された金属製で角筒状の嵩上げ部材とを備え、前記コンクリート製側溝ブロックの前記段面に前記嵩上げ部材を介して装着され、前記グレーチング本体によって前記コンクリート製側溝ブロックの開口上面を覆うグレーチングと、
前記グレーチングの盗難防止用金具と、を有し、
前記盗難防止用金具は、平板状の金属片からなり、前記グレーチングの前記嵩上げ部材の直内側にそれぞれ配置され、上部の前記グレーチング本体の前記メインバーに溶接固定されており、前記嵩上げ部材の直内側を通過して下方に延びる垂直片と、前記垂直片の下端側に曲げ形成され、前記嵩上げ部材の下方において下方に向かって外側に傾斜する斜片とを備え、
前記グレーチングが、あらかじめ、前記コンクリート製側溝ブロックの長手方向一端側からの挿入操作によって、前記コンクリート製側溝ブロックの下広がりの前記斜面の直内側に前記盗難防止用金具の前記斜片が対向して配置され、当該グレーチングの持ち上がり動作が規制された状態で、前記コンクリート製側溝ブロックの前記段面に装着されている構成としたものである。
【００１１】
請求項１に係る発明の側溝ユニットによれば、側溝の施工時において、グレーチング設置箇所には、あらかじめ、グレーチングが装着され、しかも、その盗難防止用金具も装着されて盗難対策が施された状態（グレーチングが、あらかじめ、コンクリート製側溝ブロックの長手方向一端側からの挿入操作によって、コンクリート製側溝ブロックの下広がりの斜面の直内側に、グレーチングの下面側に溶接固定された盗難防止用金具の斜片が対向して配置され、当該グレーチングの持ち上がり動作が盗難防止用金具によって規制された状態で、コンクリート製側溝ブロックの段面に装着されている状態）で、コンクリート製側溝ブロックが設置されることから、現場で、グレーチングを設置したり、その盗難防止用金具を設置して盗難対策を施す必要がなく、施工性、経済性が向上する。
【００１２】
また、側溝の施工後において、グレーチング設置箇所では、グレーチングが、コンクリート製側溝ブロックの下広がりの斜面の直内側に、グレーチングの下面側に溶接固定された盗難防止用金具の斜片が対向して配置され、当該グレーチングの持ち上がり動作が盗難防止用金具によって規制された状態（盗難対策が施された状態）で、コンクリート製側溝ブロックの段面に装着されていることから、グレーチングの下面側に溶接固定された盗難防止用金具を切断したり変形させるなどして、コンクリート製側溝ブロックの下広がりの斜面に対する引っ掛かりをなくさない限り、グレーチングはコンクリート製側溝ブロック（側溝本体）から外すことができなくなっている。しかも、グレーチングの下面側に溶接固定された盗難防止用金具をそのように切断したり変形させることは、さまざまな工具類を駆使してくる窃盗団であっても非常に困難で、時間の掛かる作業となり、盗難を諦めさせることができる。したがって、盗難防止用金具は、グレーチングをコンクリート製側溝ブロックにインサート成形するのと同程度の盗難対策となり、高い盗難防止効果を得られる。
【００１３】
一方、グレーチングは、コンクリート製側溝蓋を側溝から外して作ったスペースを利用し、側溝に沿ってスライドさせ、ユニット内のコンクリート製側溝ブロックから他のコンクリート製側溝ブロックへと移動させることができ、例えば側溝内部の清掃を行う場合でも、グレーチングが清掃の邪魔になることがない。しかも、窃盗団がそのようにグレーチングを移動させたとしても、盗難防止用金具は、グレーチングと一体的に移動し、移動先におけるコンクリート製側溝ブロックの下広がりの斜面の直内側に盗難防止用金具の斜片が対向して配置され、グレーチングの持ち上がり動作を盗難防止用金具によって規制することから、グレーチングはコンクリート製側溝ブロックから外すことができなくなっており、高い盗難防止効果を発揮する。
【００１４】
そして、盗難防止用金具は、平板状の金属片からなり、従来のボルトや鎖に比べてコストが安くつくと共に、前述のとおり、現場での設置作業が不要な上に、側溝ユニットの組み立て時においても装着作業は不要で、グレーチングのコンクリート製側溝ブロックへの装着（コンクリート製側溝ブロックの長手方向一端側からの挿入操作）に伴って一括装着することができ、低コストで、簡単に盗難対策を施すことができる。
【００１５】
請求項２に係る発明の側溝ユニットは、請求項１に係る発明の側溝ユニットにおいて、前記盗難防止用金具が、前記垂直片と前記斜片の２片からなり、前記垂直片の外面をその外側の前記嵩上げ部材に当接させた状態で、前記垂直片の上端部がその上部の前記グレーチング本体の前記メインバーに溶接固定され、かつ前記垂直片の外面が前記嵩上げ部材の下面に溶接固定されている構成としたものである。
【００１６】
請求項２に係る発明の側溝ユニットによれば、嵩上げ部材と盗難防止用金具との強度を相互に向上することができる。
【００１７】
請求項３に係る発明の側溝ユニットは、請求項１に係る発明の側溝ユニットにおいて、前記盗難防止用金具が、前記垂直片と前記斜片、さらには前記垂直片の上端側に曲げ形成され、内側に向かって水平に延びる水平片の３片からなり、前記水平片の上面のみがその上部の前記グレーチング本体の前記メインバーに溶接固定されている構成としたものである。
【００１８】
請求項３に係る発明の側溝ユニットによれば、盗難防止用金具の水平片をその上部のグレーチング本体のメインバーに当接させるだけで、そのメインバーの下端面を含むグレーチング本体の下面を基準面として、盗難防止用金具の垂直片の垂直精度、ひいては斜片におけるコンクリート製側溝ブロックの下広がりの斜面に対する位置精度を容易に安定して確保することができ、盗難防止用金具のコンクリート製側溝ブロックの下広がりの斜面に対する引っ掛かり具合にバラつきのない均一な盗難防止用金具付きグレーチングの製品を作業効率よく製造することができる。
【発明の効果】
【００１９】
本発明によれば、グレーチングの盗難に対し、高い盗難防止効果を得られる盗難対策を、低コストで簡単に施すことができる側溝ユニットを提供することができる。
【図面の簡単な説明】
【００２０】
【図１】本発明の実施例１に係る側溝ユニットを示す正面図
【図２】図１に示す側溝ユニットの平面図
【図３】図１に示す側溝ユニットの側面図
【図４】図１のＡ部拡大図
【図５】コンクリート製側溝ブロックの斜視図
【図６】グレーチングの斜視図
【図７】盗難防止用金具の斜視図
【図８】図１に示す側溝ユニットの組み立て説明図
【図９】図１に示す側溝ユニットの斜視図
【図１０】盗難防止用金具の作用説明図
【図１１】盗難防止用金具の取り付け説明図
【図１２】本発明の実施例２に係る側溝ユニットを示す正面図
【図１３】図１２のＡ部拡大図
【図１４】他の盗難防止用金具の斜視図
【発明を実施するための形態】
【００２１】
図１ないし図１１を参照し、本発明の実施例１に係る側溝ユニットを説明する。図１は、本発明の実施例１に係る側溝ユニットを示す正面図、図２は、図１に示す側溝ユニットの平面図、図３は、図１に示す側溝ユニットの側面図、図４は、図１のＡ部拡大図、図９は、図１に示す側溝ユニットの斜視図である。なお、図２は、側溝ユニットの長手方向中間部を省略して示した平面図、図３は、側溝ユニットの長手方向中間部を省略して示した側面図である。また、図３において、図面中央の破断線よりも左半分には、側溝ユニットのコンクリート製側溝ブロックを透明化した状態で側面図を示し、右半分には、側溝ユニットの中央縦断面側面図を示す。
【００２２】
図１ないし図４、及び図９に示すように、側溝ユニット１は、コンクリート製側溝ブロック１０と、金属製で格子状の側溝蓋であるグレーチング３０と、グレーチング３０の盗難防止用金具４０とを有して構成されている。
【００２３】
図５は、コンクリート製側溝ブロックの斜視図である。図１ないし図５、及び図９に示すように、コンクリート製側溝ブロック１０は、対向する２枚の側壁１１と、側壁１１の下辺相互を繋ぐ底壁１２とを一体にして形成された断面Ｕ形をなすコンクリート製側溝ブロックで、対向する２枚の側壁１１と、側壁１１の底辺相互を一体に連結する底壁１２とを備えている。
【００２４】
側壁１１の内面下部と底壁１２の上面との角部は円弧で繋がれ、側壁１１の外面下部と底壁１２の底面との角部には４５度の面取り部１３が設けられている。側壁１１の上辺から下辺に至る外面１４は底壁１２の底面１５と直交する凹凸のない一面の垂直平面である。
【００２５】
側壁１１の上辺内側には、コンクリート製側溝ブロック１０の上面開口を閉鎖するグレーチング３０を支持するための蓋掛かりとなる段面１６を備えている。この段面１６の下方の側壁１１の内面には、溝幅を広げるような下広がりの（下方に向かって外側に傾斜する）斜面１７が形成されている。
【００２６】
段面１６は、本実施例では内側に向かって下方に傾斜する曲面に形成されている。具体的には、中凸円筒面になっている。この段面１６の下端には短い幅の水平面１８が形成され、次いで下方に延びる垂直面１９が形成され、その下方に斜面１７が形成され、側壁１１下方部分の内面２０へと繋がっている。この内面２０は側壁１１の外面１４と平行な凹凸のない一面の垂直平面である。垂直面１９に沿って斜面１７の内側に延びる垂直面と斜面１７とが作る角度θ１（図４参照）は２３度である。
【００２７】
コンクリート製側溝ブロック１０は、段面１６、水平面１８、垂直面１９、及び斜面１７によって構成された蓋掛け部２１が側壁１１の内側に張り出した状態で形成されている。そして、コンクリート製側溝ブロック１０は、図１に示した正面視及び図２に示した平面視において、左右対称構造を有している。
【００２８】
以上、対向する２枚の側壁１１と、側壁１１の底辺相互を一体に連結する底壁１２と、側壁１１の上辺内側に蓋掛かりとなる段面１６とを備えた、断面Ｕ形をなすコンクリート製側溝ブロックであって、段面１６の下方の側壁１１の内面には下広がりの斜面１７が形成されているコンクリート製側溝ブロック１０を説明した。
【００２９】
図６は、グレーチングの斜視図である。図６は、グレーチング本体を簡略、かつ透明化して示した斜視図である。このことは図８及び図９に示すグレーチングについても同じである。図１ないし図４、図６、図９に示すように、グレーチング３０は、グレーチング本体３１を備えている。
【００３０】
グレーチング本体３１は、コンクリート製側溝ブロック１０の長手方向に所定間隔で並列した複数のメインバー３２と、各メインバー３２の上部において各メインバー３２の両側端部間に所定間隔で直交状に差し渡された複数のクロスバー３３と、各メインバー３２の両側端部に沿ってそれぞれ差し渡された２枚のエンドプレート３４とによって構成されている。
【００３１】
本実施例において、メインバー３２は、断面Ｉ形をなすステンレス製の長尺な帯板状型材を所定の長さに切断したものが用いられている。クロスバー３３は、捻り加工を加えたステンレス製の長尺な角棒状型材を所定の長さに切断したものが用いられ、ツイストバーとも呼ばれている。エンドプレート３４は、厚さ一定なステンレス製の長尺な帯板状型材を所定の長さに切断したものが用いられている。
【００３２】
クロスバー３３とエンドプレート３４は、それぞれ、メインバー３２に電気抵抗溶接により溶着して固定することにより、メインバー３２を等ピッチ間隔で連結している。
【００３３】
コンクリート製側溝ブロック１０の段面１６に装着されるグレーチング３０には、装着時のグレーチング本体３１の上面高さをコンクリート製側溝ブロック１０の上面に合せるため、金属製で角筒状の嵩上げ部材３５がグレーチング本体３１の下面側両端部においてグレーチング本体３１の全長に亘って配置され、上部のグレーチング本体３１のメインバー３２に溶接固定されている。
【００３４】
そして、グレーチング３０は、図１ないし図４、図９に示すように、コンクリート製側溝ブロック１０の段面１６に嵩上げ部材３５を介して装着され、グレーチング本体３１によってコンクリート製側溝ブロック１０の開口上面を覆うように構成されている。
【００３５】
以上、コンクリート製側溝ブロック１０の長手方向に間隔を設けて並設されるメインバー３２と、メインバー３２の上部においてメインバー３２と直交して配置され、メインバー３２を連結するクロスバー３３と、メインバー３２の両端部をそれぞれ連結するエンドプレート３４とからなる金属製で格子状のグレーチング本体３１と、グレーチング本体３１の下面側両端部に配置され、上部のグレーチング本体３１のメインバー３２に溶接固定された金属製で角筒状の嵩上げ部材３５とを備え、コンクリート製側溝ブロック１０の段面１６に嵩上げ部材３５を介して装着され、グレーチング本体３１によってコンクリート製側溝ブロック１０の開口上面を覆うグレーチング３０を説明した。
【００３６】
図１、図４に示すように、本実施例において、コンクリート製側溝ブロック１０の段面１６は、内側に向かって下方に傾斜する曲面（中凸円筒面）に形成されている関係上、嵩上げ部材３５におけるコンクリート製側溝ブロック１０の段面１６と接触する箇所には内側に向かって下方に傾斜する平面３６が設けられている。
【００３７】
また、嵩上げ部材３５は、断面Ｌ形をなす第１及び第２アングル部材３７及び３８を組み合わせ、溶接固定して四角筒状に組み立てられている。
【００３８】
具体的には、第１アングル部材３７の水平片３７ａによって嵩上げ部材３５の下側側壁が形成され、第１アングル部材３７の垂直片３７ｂによって嵩上げ部材３５の外側側壁が形成されている。第１アングル部材３７は、水平片３７ａと垂直片３７ｂが傾斜片３７ｃによって繋がれており、この傾斜片３７ｃの外表面によって嵩上げ部材３５の平面３６が形成されている。
【００３９】
第２アングル部材３８の水平片３８ａによって嵩上げ部材３５のメインバー３２に溶接固定される上側側壁が形成されている。第２アングル部材３８は、水平片３８ａの外側端部から下方に向かって第１アングル部材３７の垂直片３７ｂに接近する方向に傾斜した傾斜側片３８ｂが設けられており、この傾斜側片３８ｂによって嵩上げ部材３５の内側側壁が形成されている。
【００４０】
そして、第１アングル部材３７の垂直片３７ｂの上端面が第２アングル部材３８の水平片３８ａの外側端部内面に突き合わされて溶接固定されると共に、第１アングル部材３７の水平片３７ａの中間部内面が第２アングル部材３８の傾斜側片３８ｂの下端面に突き合わされて溶接固定されて、第２アングル部材３８の水平片３８ａと傾斜側片３８ｂとの角部の外表面に接触する垂直面内に第１アングル部材３７の水平片３７ａの端面が配置されるように、嵩上げ部材３５が組み立てられている。
【００４１】
本実施例において、コンクリート製側溝ブロック１０の段面１６は、内側に向かって下方に傾斜する曲面（中凸円筒面）に形成されている関係上、嵩上げ部材３５には、それを内側に押す力も加わるが、傾斜側片３８ｂによって形成された内側側壁があるため、嵩上げ部材３５は、垂直片によって形成された内側側壁を有するものに比べて強度的に強いものとなっている。
【００４２】
図７は、盗難防止用金具の斜視図である。図１ないし図４、図６、図７に示すように、盗難防止金具４０は、平板状の金属片からなり、グレーチング３０の嵩上げ部材３５の直内側において嵩上げ部材３５の両端近傍２箇所（合計４箇所）にそれぞれ配置され、上部のグレーチング本体３１のメインバー３２に溶接固定されており、平板状金属片の屈曲構造により、嵩上げ部材３５の直内側を通過して下方に延びる垂直片４１と、この垂直片４１の下端側に曲げ形成され、嵩上げ部材３５の下方において下方に向かって外側に傾斜し、グレーチング３０をコンクリート製側溝ブロック１０に装着した時、コンクリート製側溝ブロックの下広がりの斜面１７の直内側に対向して配置される斜片４２とを備えている。斜片４２の垂直片４１に対する曲げ角度は２３度である。
【００４３】
以上、平板状の金属片からなり、グレーチング３０の嵩上げ部材３５の直内側にそれぞれ配置され、上部のグレーチング本体３１のメインバー３２に溶接固定されており、嵩上げ部材３５の直内側を通過して下方に延びる垂直片４１と、垂直片４１の下端側に曲げ形成され、嵩上げ部材３５の下方において下方に向かって外側に傾斜する斜片４２とを備えた盗難防止用金具４０を説明した。
【００４４】
本実施例において、盗難防止用金具４０は、平板状の金属片の屈曲構造で、垂直片４１と斜片４２の２片からなり、垂直片４１の外面をその外側の嵩上げ部材３５に当接させた状態で、具体的には、第２アングル部材３８の水平片３８ａと傾斜側片３８ｂとの角部の外表面と、第１アングル部材３７の水平片３７ａの端面に当接させた状態で、垂直片４１の上端部がその上部のグレーチング本体３１のメインバー３２に溶接固定され、かつ垂直片４１の外面が嵩上げ部材３５の下面に溶接固定されている。
【００４５】
このような盗難防止用金具４０及び取り付け構造によって、嵩上げ部材３５と盗難防止用金具４０との強度を相互に向上することができる。
【００４６】
図８は、側溝ユニットの組み立て説明図である。側溝ユニット１は、図８に示すように、盗難防止用金具４０が下面側に溶接固定されたグレーチング３０をコンクリート製側溝ブロック１０の長手方向一端側からコンクリート製側溝ブロック１０の上部内側に挿入することにより、図１ないし図４、図９に示すように、コンクリート製側溝ブロック１０の下広がりの斜面１７の直内側に盗難防止用金具４０の斜片４２が対向して配置され、当該グレーチング３０の持ち上がり動作が規制された状態で、コンクリート製側溝ブロック１０の段面１６に装着されて組み立てられ、図１に示した正面視及び図２に示した平面視において、左右対称構造を有している。
【００４７】
つまり、側溝ユニット１は、コンクリート製側溝ブロック１０と、金属製で格子状の側溝蓋であるグレーチング３０と、グレーチング３０の盗難防止用金具４０とを有し、グレーチング３０が、あらかじめ、コンクリート製側溝ブロック１０の長手方向一端側からの挿入操作によって、コンクリート製側溝ブロック１０の下広がりの斜面１７の直内側に、グレーチング３０の下面側に溶接固定された盗難防止用金具４０の斜片４２が対向して配置され、当該グレーチング３０の持ち上がり動作が盗難防止用金具４０によって規制された状態（盗難対策が施された状態）で、コンクリート製側溝ブロック１０の段面１６に装着されている構成としたものである。
【００４８】
図１０は、盗難防止用金具の作用説明図である。側溝ユニット１では、グレーチング３０を持ち上げてコンクリート製側溝ブロック１０から外そうとしても、図１０に示すように、グレーチング３０の下面側に溶接固定された盗難防止用金具４０の斜片４２がコンクリート製側溝ブロック１０の下広がりの斜面１７に引っかかり、グレーチング３０はコンクリート製側溝ブロック１０から外すことができないようになっている。
【００４９】
そして、側溝ユニット１によれば、側溝の施工時において、グレーチング設置箇所には、あらかじめ、グレーチング３０が装着され、しかも、その盗難防止用金具４０も装着されて盗難対策が施された状態（グレーチング３０が、あらかじめ、コンクリート製側溝ブロック１０の長手方向一端側からの挿入操作によって、コンクリート製側溝ブロック１０の下広がりの斜面１７の直内側に、グレーチング３０の下面側に溶接固定された盗難防止用金具４０の斜片４２が対向して配置され、当該グレーチング３０の持ち上がり動作が盗難防止用金具４０によって規制された状態で、コンクリート製側溝ブロック１０の段面１６に装着されている状態）で、コンクリート製側溝ブロック１０が設置されることから、現場で、グレーチング３０を設置したり、その盗難防止用金具４０を設置して盗難対策を施す必要がなく、施工性、経済性が向上する。
【００５０】
また、側溝の施工後において、グレーチング設置箇所では、グレーチング３０が、コンクリート製側溝ブロック１０の下広がりの斜面１７の直内側に、グレーチング３０の下面側に溶接固定された盗難防止用金具４０の斜片４２が対向して配置され、当該グレーチング３０の持ち上がり動作が盗難防止用金具４０によって規制された状態（盗難対策が施された状態）で、コンクリート製側溝ブロック１０の段面１６に装着されていることから、グレーチング３０の下面側に溶接固定された盗難防止用金具４０を切断したり変形させるなどして、コンクリート製側溝ブロック１０の下広がりの斜面１７に対する引っ掛かりをなくさない限り、グレーチング３０はコンクリート製側溝ブロック１０（側溝本体）から外すことができなくなっている。しかも、グレーチング３０の下面側に溶接固定された盗難防止用金具４０をそのように切断したり変形させることは、さまざまな工具類を駆使してくる窃盗団であっても非常に困難で、時間の掛かる作業となり、盗難を諦めさせることができる。したがって、盗難防止用金具４０は、グレーチング３０をコンクリート製側溝ブロック１０にインサート成形するのと同程度の盗難対策となり、高い盗難防止効果を得られる。
【００５１】
一方、グレーチング３０は、コンクリート製側溝蓋を側溝から外して作ったスペースを利用し、側溝に沿ってスライドさせ、ユニット１内のコンクリート製側溝ブロック１０から他のコンクリート製側溝ブロック１０へと移動させることができ、例えば側溝内部の清掃を行う場合でも、グレーチング３０が清掃の邪魔になることがない。しかも、窃盗団がそのようにグレーチング３０を移動させたとしても、盗難防止用金具４０は、グレーチング３０と一体的に移動し、移動先におけるコンクリート製側溝ブロック１０の下広がりの斜面１７の直内側に盗難防止用金具４０の斜片４２が対向して配置され、グレーチング３０の持ち上がり動作を盗難防止用金具４０によって規制することから、グレーチング３０はコンクリート製側溝ブロック１０から外すことができなくなっており、高い盗難防止効果を発揮する。
【００５２】
そして、盗難防止用金具４０は、平板状の金属片からなり、従来のボルトや鎖に比べてコストが安くつくと共に、前述のとおり、現場での設置作業が不要な上に、側溝ユニット１の組み立て時においても装着作業は不要で、グレーチング３０のコンクリート製側溝ブロック１０への装着（コンクリート製側溝ブロック１０の長手方向一端側からの挿入操作）に伴って一括装着することができ、低コストで、簡単に盗難対策を施すことができる。
【００５３】
したがって、側溝ユニット１は、側溝を造るときにグレーチング設置箇所に用い、グレーチング３０の盗難に対し、高い盗難防止効果を得られる盗難対策を、低コストで簡単に施すことができる。
【００５４】
続いて、図１２ないし図１４を参照し、本発明の実施例２に係る側溝ユニットを説明する。図１２は、本発明の実施例２に係る側溝ユニットを示す正面図、図１３は、図１２のＡ部拡大図である。実施例２の側溝ユニット２は、盗難防止用金具を他の盗難防止用金具５０に変えたこと以外は、実施例１の側溝ユニット１構造と異なるところがない。
【００５５】
図１４は、他の盗難防止用金具の斜視図である。図１２ないし図１４に示すように、他の盗難防止用金具５０は、平板状の金属片の屈曲構造で、垂直片４１と斜片４２（盗難防止用金具４０）、さらには垂直片４１の上端側に曲げ形成され、内側に向かって水平に延びる水平片５１の３片からなり、水平片５１の上面のみがその上部のグレーチング本体３１のメインバー３２に溶接固定されている。
【００５６】
図１１は、盗難防止用金具（実施例１）の取り付け説明図である。図１１に示すように、盗難防止用金具４０は、嵩上げ部材３５の第２アングル部材３８の水平片３８ａと傾斜側片３８ｂとの角部の外表面と、第１アングル部材３７の水平片３７ａの端面とが配置される一垂直面を基準面として、グレーチング３０の下面側に溶接固定して取り付けることになるが、嵩上げ部材３５が強度的に強い組み立て型であって、嵩上げ部材３５の寸法誤差ｗに起因して垂直な基準面を安定して得にくく、盗難防止用金具４０の垂直片４１の垂直精度、ひいては斜片４２におけるコンクリート製側溝ブロック１０の下広がりの斜面１７に対する位置精度を出しにくく、盗難防止用金具付きグレーチングの製品にバラつきを生じるおそれがある。
【００５７】
これに対し、他の盗難防止用金具５０は、水平片５１をその上部のグレーチング本体３１のメインバー３２に当接させるだけで、そのメインバー３２の下端面を含むグレーチング本体３１の下面を基準面として、垂直片４１の垂直精度、ひいては斜片４２におけるコンクリート製側溝ブロック１０の下広がりの斜面１７に対する位置精度を容易に安定して確保することができ、他の盗難防止用金具５０のコンクリート製側溝ブロック１０の下広がりの斜面１７に対する引っ掛かり具合にバラつきのない均一な盗難防止用金具５０付きグレーチング３０の製品を作業効率よく製造することができる。
【００５８】
以上、本発明の実施例１、２を説明したが、本発明はそれに限定されず本発明の要旨を変更しない範囲内で種々変更実施することができる。例えば、コンクリート製側溝ブロック１０の段面１６は、内側に向かって下方に傾斜する曲面に形成されているが、内側に向かって下方に傾斜する平面であってもよく、また、水平な平面であってもよい。
【符号の説明】
【００５９】
１，２  側溝ユニット
１０  コンクリート製側溝ブロック
１１  側壁
１２  底壁
１６  段面
１７  斜面
３０  グレーチング
３１  グレーチング本体
３２  メインバー
３３  クロスバー
３４  エンドプレート
３５  嵩上げ部材
４０，５０  盗難防止用金具
４１  垂直片
４２  斜片
５１  水平片
【図１】
2015017405.tif 000003
【図２】
2015017405.tif 000004
【図３】
2015017405.tif 000005
【図４】
2015017405.tif 000006
【図５】
2015017405.tif 000007
【図６】
2015017405.tif 000008
【図７】
2015017405.tif 000009
【図８】
2015017405.tif 000010
【図９】
2015017405.tif 000011
【図１０】
2015017405.tif 000012
【図１１】
2015017405.tif 000013
【図１２】
2015017405.tif 000014
【図１３】
2015017405.tif 000015
【図１４】
2015017405.tif 000016